(57)【要約】【課題】複数の担持向きを有する調節可能チャイルドキャリアを提供すること。【解決手段】調節可能チャイルドキャリアは、ウエストベルトと、本体と、肩ストラップと、側面取付タブと、腿支持体とを含む。側面取付タブは、肩ストラップのための下側取付点を提供する。腿支持体は、シート中心部分と協働して、対応するサイズ範囲内の子供を蹲踞姿勢で人間工学的に支持するように適合される複数のバケットシート構成で構成可能な調節可能バケットシートを形成する。腿支持体の上端部分は、複数の中央部幅設定場所において側面取付タブに選択的に結合されることができ、腿支持体の下端部分は、複数の基部幅設定場所においてウエストベルトに選択的に結合されることができる。【選択図】なし【特許請求の範囲】
【請求項１】
調節可能チャイルドキャリアであって、
装着者の腰部の周りに固着するために適合されるウエストベルトと、
前記ウエストベルトに結合される本体であって、前記本体は、装着者の胴体と協働して子供担持領域を形成するように適合され、前記本体は、内側および外側と、外縁とを有する、本体と、
前記本体を持ち上げるための肩ストラップと、
前記本体の前記外縁から離れるように前記本体の内側に取り付けられた一対の側面取付タブであって、前記一対の側面取付タブは、前記肩ストラップのための下側取付点を備える、一対の側面取付タブと、
シート部分と
を備え、前記シート部分は、
シート中心部分と、
前記シート中心部分と協働し、複数のバケットシート構成に構成可能な調節可能バケットシートを形成し、複数の子供サイズおよび担持向きに適応するように適合される一対の腿支持体であって、前記複数のバケットシート構成の各々は、バケットシート深さおよびバケットシート幅を有し、対応するサイズ範囲内の子供を蹲踞姿勢で支持するように適合され、前記一対の腿支持体は、前記調節可能チャイルドキャリアの中央部幅および前記調節可能バケットシートの基部幅を設定するように調節可能である、一対の腿支持体と
を備え、前記一対の腿支持体は、
第１の腿支持体であって、前記第１の腿支持体は、第１の側面取付タブ上の第１の中央部幅設定場所のセットにおいて前記一対の側面取付タブからの前記第１の側面取付タブに選択的に結合するように適合される上端部分と、第１の基部幅設定場所のセットにおいて前記ウエストベルトに選択的に結合可能な下端部分とを有する、第１の腿支持体と、
第２の腿支持体であって、前記第２の腿支持体は、第２の側面取付タブ上の中央部幅設定場所の第２のセットにおいて前記第２の側面取付タブに選択的に結合可能な上端部分と、第２の基部幅設定場所のセットにおいて前記ウエストベルトに選択的に結合可能な下端部分とを有する、第２の腿支持体と
を備える、調節可能チャイルドキャリア。
【請求項２】
前記ウエストベルトは、前記第１の基部幅設定場所のセットを提供するための第１の複数のハンガ点と、前記第２の基部幅設定場所のセットを提供するための第２の複数のハンガ点とを含み、前記第１の腿支持体の前記下端部分は、前記第１の複数のハンガ点に選択的に掛止するための第１のフックを備え、前記第２の腿支持体の前記下端部分は、前記第２の複数のハンガ点に選択的に掛止するための第２のフックを備える、請求項１に記載の調節可能チャイルドキャリア。
【請求項３】
前記第１の基部幅設定場所のセットは、前記ウエストベルトの内側に配置されたフックおよびループ材料を備え、前記第１の腿支持体の前記下端部分は、前記第１の基部幅設定場所のセットに選択的に取り付くように適合されるフックおよびループ材料の第１の領域を備え、
前記第２の基部幅設定場所のセットは、前記ウエストベルトの前記内側に配置されたフックおよびループ材料を備え、前記第１の腿支持体は、前記第２の基部幅設定場所のセットに選択的に取り付くように適合されるフックおよびループ材料の第２の領域を備える、請求項１に記載の調節可能チャイルドキャリア。
【請求項４】
前記ウエストベルトは、前記第１の基部幅設定場所のセットおよび前記第２の基部幅設定場所のセットを提供するフックおよびループ材料の連続領域を備える、請求項３に記載の調節可能チャイルドキャリア。
【請求項５】
前記第１の側面取付タブおよび前記第２の側面取付タブは各々、前記調節可能チャイルドキャリアが使用中であるときに前記子供に向く内側と、外側とを備え、
前記第１の中央部幅設定場所のセットは、前記第１の側面取付タブの前記外側に配置され、
前記第２の中央部幅設定場所のセットは、前記第２の側面取付タブの前記外側に配置される、請求項３に記載の調節可能チャイルドキャリア。
【請求項６】
前記第１の側面取付タブの外側に結合される第１のスライダガイド部材と、
前記第１の腿支持体の前記上端部分に結合される第１のスライダであって、前記第１のスライダは、前記第１の中央部幅設定場所のセットの間で前記第１の腿支持体の前記上端部分の位置を調節するように、前記第１のスライダガイド部材に沿って移動可能である、第１のスライダと、
前記第２の側面取付タブの外側に結合される第２のスライダガイド部材と、
前記第２の腿支持体の前記上端部分に結合される第２のスライダであって、前記第２のスライダは、前記第２の中央部幅設定場所のセットの間で前記第２の腿支持体の前記上端部分の位置を調節するように、前記第２のスライダガイド部材に沿って移動可能である、第２のスライダと
をさらに備える、請求項１に記載の調節可能チャイルドキャリア。
【請求項７】
前記第１のスライダガイド部材は、前記第１の側面取付タブ上の前記第１の中央部幅設定場所のセットに対応する第１の開口部のセットを画定し、前記第１のスライダは、前記第１の開口部のセットの各々に係合して対応する中央部幅設定場所に前記第１の腿支持体を固着させるように適合される第１のクリップピンを備え、
前記第２のスライダガイド部材は、前記第２の側面取付タブ上の前記第２の中央部幅設定場所のセットに対応する第２の開口部のセットを画定し、前記第２のスライダは、前記第２の開口部のセットの各々に係合して対応する中央部幅設定場所に前記第２の腿支持体を固着させるように適合される第２のクリップピンを備える、請求項６に記載の調節可能チャイルドキャリア。
【請求項８】
前記本体は、前記本体の側方中心線の第１の側に第１の側縁と、前記本体の前記側方中心線の第２の側に第２の側縁とを含み、
前記第１の側面取付タブは、前記第１の側縁よりも前記本体の前記側方中心線の近くで、前記本体の前記側方中心線の前記第１の側において前記本体に取り付けられ、
前記第２の側面取付タブは、前記第２の側縁よりも前記本体の前記側方中心線の近くで、前記本体の前記側方中心線の前記第２の側において前記本体に取り付けられる、請求項１に記載の調節可能チャイルドキャリア。
【請求項９】
前記調節可能チャイルドキャリアは、複数のキャリア構成に調節可能であり、前記複数のキャリア構成は、正面で内側に向いた構成と、正面で外側に向いた構成と、背面で内側に向いた構成と、側面で内側に向いた構成とを備える、請求項１に記載の調節可能チャイルドキャリア。
【請求項１０】
前記複数のバケットシート構成は、
第１のサイズ範囲の内側に向いた子供を蹲踞姿勢で支持するように適合される第１の構成と、
第２のサイズ範囲の内側に向いた子供を蹲踞姿勢で支持するための第２の構成と、
第３のサイズ範囲の内側に向いた子供を蹲踞姿勢で支持するための第３の構成と、
外へ向けられた子供を蹲踞姿勢で支持するための第４の構成と、
を備え、前記第１の構成は、第１のバケットシート基部幅と、第１のバケットシート深さとを有し、前記第２の構成は、第２のバケットシート基部幅と、第２のバケットシート深さとを有し、前記第３の構成は、第３のバケットシート基部幅と、第３のバケットシート深さとを有し、前記第１のバケットシート基部幅は、前記第２のバケットシート基部幅未満であり、前記第１のバケットシート深さは、前記第２のバケットシート深さを上回り、前記第２のバケットシート基部幅は、前記第３のバケットシート基部幅未満であり、前記第２のバケットシート深さは、前記第３のバケットシート深さを上回る、請求項１に記載の調節可能チャイルドキャリア。
【請求項１１】
前記第４の構成の中央部幅は、前記第１の構成の中央部幅、前記第２の構成の中央部幅、および前記第３の構成の中央部幅よりも狭い、請求項１０に記載の調節可能チャイルドキャリア。
【請求項１２】
前記調節可能チャイルドキャリアは、前記バケットシート深さに依存する装着可能高さを有する、請求項１に記載の調節可能チャイルドキャリア。
【請求項１３】
前記シート部分は、
前記シート中心部分と前記第１の腿支持体との間に配置される第１の襠であって、前記第１の襠は、第１の腿支持ストラップと前記シート中心部分との間にまたがる第１の襠の第１の自由縁と、前記第１の腿支持体と前記シート中心部分との間にまたがる第１の襠の第２の自由縁とを有する、第１の襠と、
前記シート中心部分と第２の腿支持ストラップとの間に配置される第２の襠であって、前記第２の襠は、前記第２の腿支持ストラップと前記シート中心部分との間にまたがる第２の襠の第１の自由縁と、前記第２の腿支持ストラップと前記シート中心部分との間にまたがる第２の襠の第２の自由縁とを有し、前記第１の襠は、前記第１の腿支持体の前記下端部分の調節に応答して開閉するように適合され、前記第２の襠は、前記第２の腿支持体の前記下端部分を調節することに応答して開閉するように適合される、第２の襠と
を備える、請求項１に記載の調節可能チャイルドキャリア。
【請求項１４】
前記調節可能バケットシートの前記基部幅を減少させることは、前記第１の襠および前記第２の襠を深くし、前記調節可能バケットシートの前記バケットシート深さが増加することを可能にし、前記調節可能バケットシートの基部幅を増加させることは、前記第１の襠および前記第２の襠がより浅くなるようにし、前記調節可能バケットシートの前記バケットシート深さを減少させる、請求項１３に記載の調節可能チャイルドキャリア。
【請求項１５】
内側の折り下げられた位置に構成可能な頸部支持体をさらに備え、前記内側の折り下げられた位置において、前記頸部支持体は、子供の頸部を支持するために前記子供担持領域内に位置付けられる、請求項１に記載の調節可能チャイルドキャリア。
【請求項１６】
前記頸部支持体はさらに、延在された折り上げられた位置および外側の折り下げられた位置にさらに構成可能である、請求項１５に記載の調節可能チャイルドキャリア。
【請求項１７】
前記複数のバケットシート構成は、乳児用インサートを伴わずに、乳児を蹲踞姿勢で支持するように適合される構成を備える、請求項１に記載の調節可能チャイルドキャリア。
【請求項１８】
前記複数のバケットシート構成は、小児を蹲踞姿勢で支持するように適合される構成を備える、請求項１７に記載の調節可能チャイルドキャリア。
【請求項１９】
前記第１の側面取付タブおよび前記第１の腿支持体は、前記装着者の胴体と協働して前記子供のための第１の脚開口部を形成するように成形され、前記第２の側面取付タブおよび前記第２の腿支持体は、前記装着者の胴体と協働して前記子供のための第２の脚開口部を形成するように成形される、請求項１に記載の調節可能チャイルドキャリア。
【発明の詳細な説明】
【技術分野】
【０００１】
関連出願
本願は、「Ａｄｊｕｓｔａｂｌｅ  Ｃｈｉｌｄ  Ｃａｒｒｉｅｒ  ｗｉｔｈ  Ｍｕｌｔｉｐｌｅ  Ｃａｒｒｙ  Ｏｒｉｅｎｔａｔｉｏｎｓ」と題された２０２０年６月１９日に出願された米国仮出願第６３／０４１，６１０号の米国特許法（３５  Ｕ．Ｓ．Ｃ．）§１１９（ｅ）の下の優先権の利益を主張し、これは、あらゆる目的のためにその全体として本明細書に完全に援用される。
【０００２】
本開示は、チャイルドキャリアに関する。より具体的には、本開示は、子供が成長するにつれて子供を人間工学的に担持するように適合可能なチャイルドキャリアに関する。
【背景技術】
【０００３】
種々のチャイルドキャリアが、現在、親または他の個人によって子供を移送するために利用可能である。チャイルドキャリアは、子供を担持する際、装着者に手および腕の移動の自由をもたらすので、乳児および小児を担持するために人気となっている。子供の安全の追求において、これらのデバイスのいくつかは、とりわけ、剛性シートおよびフレームを伴う過度に複雑となっており、これは、キャリアの重量を大幅に増加させ、子供の成長に適応することができない。これらの複雑なキャリアは、比較的に重く、装着者に、特に腰椎部位に過度の歪みをかける。加えて、今日のキャリアのうちの多くのサイズのため、それらは、背中のみに装着され、したがって、子供に、子供とその母親とが対面関係となり得る位置の快適性および安全性を与えることができない。
【０００４】
軟質の構造化されたキャリアは、より軽量であって、あまり煩雑ではなく、より装着が快適であるため、ますます人気になっている。これらのキャリアは、構造を提供するために、剛性フレームではなく、詰め物、縫製、および布地を組み込む。しかしながら、いくつかの軟質構造化されたキャリアは、子供の脚部が下方に吊架し、子供の背骨の付け根が子供の体重を支持する状態で、子供を直立姿勢で保持する。この姿勢は、乳児および他の若年の子供にとって最適ではないこともある。成人の背骨は、４つの湾曲を有するが、乳児の背骨は、２つのみの湾曲を有する。若年の子供の背骨の大部分は、Ｃ−形状（いわゆる全後彎）を形成する。若年の子供、特に、乳児を直立姿勢で位置付けることは、背骨の湾曲を過度に限定し、乳児の仙骨に応力をかけ得る。これは、乳児の骨盤を背中側に傾斜させ、脚部および腰部の移動を限定し得、これは、乳児の骨盤の健康な発達を妨げ得る。
【０００５】
さらに、従来の軟質の構造化されたキャリアは、通常、非常に限定された年齢、体重、およびサイズの子供のために設計され、ある範囲の年齢に適応するためには、キャリアの形状に関して妥協される。キャリアが、ある年齢／体重／サイズにおける子供の人間工学的位置付けを支持する場合であっても、異なる子供は異なる速さで発達し、子供の解剖学的構造および生理機能は乳児期と小児期との間で劇的に変化するので、同一キャリアを利用しながらその範囲の年齢にわたる子供を人間工学的姿勢で位置付けることは、問題を呈する。
【０００６】
乳児または低年齢児のために設計されるキャリアは、キャリアのシートおよび背面支持部分が小さくなりすぎるので、子供が幼児期に成長するにつれて、子供に適応しないこともある。キャリアをより適合可能にするための試みとして、いくつかのキャリアは、付加的パネルを提供し、付加的パネルは、子供の成長に適応するために拡張し得る（例えば、付加的背面パネル材料を開くことによって、または新しいパネルを取り付けることによって）シートおよび／または背面パネルを広げるように、開かれ、シートに追加され得る。しかしながら、単に、シートを広げ、またはキャリアを長くすることは、適切な人間工学に適正に対処するものではない。
【０００７】
他方では、より高年齢児のために設計されるキャリアは、乳児を適切に支持し得ない。この問題に対する１つの解決策は、特別に設計された「乳児用インサート」の使用である。一般に、乳児用インサートは、付加的な詰め物および構造を組み込む付属品であり、これがなければ乳児を適切に支持しないであろうキャリア内で小さな乳児を担持することを可能にする。しかしながら、全てのキャリアが乳児用インサートの使用サポートしているわけではない。さらに、設計に応じて、乳児用インサートは、煩雑であり、非直感的であり、かつ容易に紛失され得る。特に、別個の乳児用インサートの使用は、親が２つの別個のデバイスを追跡することを要求し得、装着者のためのキャリアを構成すること、キャリアを装着すること、またはキャリアへの子供の出し入れの困難度を有意に増加させ得る。
【０００８】
さらに、多くのキャリアは、限定された可撓性を提供し、子供が装着者に向いているか、または装着者から目をそらしているかのいずれかの単一向きにのみ適切に向けられることのみを可能にする。前述の問題に起因して、親は、多くの場合、子供が年を取るにつれてキャリアを交換することを選ぶ。
【発明の概要】
【課題を解決するための手段】
【０００９】
本開示は、乳児を含む子供が、ある範囲の年齢を通して子供を支持し子供の骨盤および腿を好ましい人間工学的姿勢に維持する態様で担持されることを可能にするチャイルドキャリアに関する。一実施形態によると、調節可能チャイルドキャリアは、装着者の腰部の周りに固着するために適合されるウエストベルトと、ウエストベルトに結合される本体であって、本体は、装着者の胴体と協働して子供担持領域を形成するように適合される、本体と、本体を持ち上げて子供担持領域を形成するための肩ストラップと、本体の外縁から離れるように本体の内部側に取り付けられる一対の側面取付タブであって、一対の側面取付タブは、肩ストラップのための下側取付点を備える、一対の側面取付タブと、シート部分とを備える。
【００１０】
一実施形態によると、シート部分は、シート中心部分と、シート中心部分と協働して調節可能バケットシートを形成する一対の腿支持体とを備える。調節可能バケットシートは、複数の子供サイズおよび担持向きに適応するように、複数のバケットシート構成に構成可能であり得る。複数のバケットシート構成の各々は、対応するバケットシート深さおよびバケットシート幅を有し、対応するサイズ範囲内の子供を蹲踞姿勢で支持するように適合され得る。
【００１１】
一対の腿支持体は、調節可能チャイルドキャリアの中央部幅および調節可能バケットシートの基部幅を設定するように調節可能である。一実施形態によると、一対の腿支持体は、第１の側面取付タブ上の第１の中央部幅設定場所のセットにおいて一対の側面取付タブからの第１の側面取付タブに選択的に結合するように適合される上端部分と、第１の基部幅設定場所のセットにおいてウエストベルトに選択的に結合可能な下端部分とを有する第１の腿支持体を含む。一対の腿支持体はまた、第２の腿支持体も含む。第２の腿支持体は、第２の中央部幅設定場所のセットにおいて第２の側面取付タブに選択的に結合可能な上端部分と、第２の基部幅設定場所のセットにおいてウエストベルトに選択的に結合可能な下端部分とを有する。
【００１２】
腿支持体は、バケットシートの基部幅および深さと中央部幅とを調節し、子供が成長するにつれて子供を人間工学的に支持するための各種の座席構成を提供するように、かついくつかの実施形態では外側に向いた向きおよび内側に向いた向きの両方を支持するように、調節されることができる。
本発明は、例えば以下を提供する。
（項目１）
調節可能チャイルドキャリアであって、
装着者の腰部の周りに固着するために適合されるウエストベルトと、
前記ウエストベルトに結合される本体であって、前記本体は、装着者の胴体と協働して子供担持領域を形成するように適合され、前記本体は、内側および外側と、外縁とを有する、本体と、
前記本体を持ち上げるための肩ストラップと、
前記本体の前記外縁から離れるように前記本体の内側に取り付けられた一対の側面取付タブであって、前記一対の側面取付タブは、前記肩ストラップのための下側取付点を備える、一対の側面取付タブと、
シート部分と
を備え、前記シート部分は、
シート中心部分と、
前記シート中心部分と協働し、複数のバケットシート構成に構成可能な調節可能バケットシートを形成し、複数の子供サイズおよび担持向きに適応するように適合される一対の腿支持体であって、前記複数のバケットシート構成の各々は、バケットシート深さおよびバケットシート幅を有し、対応するサイズ範囲内の子供を蹲踞姿勢で支持するように適合され、前記一対の腿支持体は、前記調節可能チャイルドキャリアの中央部幅および前記調節可能バケットシートの基部幅を設定するように調節可能である、一対の腿支持体と
を備え、前記一対の腿支持体は、
第１の腿支持体であって、前記第１の腿支持体は、第１の側面取付タブ上の第１の中央部幅設定場所のセットにおいて前記一対の側面取付タブからの前記第１の側面取付タブに選択的に結合するように適合される上端部分と、第１の基部幅設定場所のセットにおいて前記ウエストベルトに選択的に結合可能な下端部分とを有する、第１の腿支持体と、
第２の腿支持体であって、前記第２の腿支持体は、第２の側面取付タブ上の中央部幅設定場所の第２のセットにおいて前記第２の側面取付タブに選択的に結合可能な上端部分と、第２の基部幅設定場所のセットにおいて前記ウエストベルトに選択的に結合可能な下端部分とを有する、第２の腿支持体と
を備える、調節可能チャイルドキャリア。
（項目２）
前記ウエストベルトは、前記第１の基部幅設定場所のセットを提供するための第１の複数のハンガ点と、前記第２の基部幅設定場所のセットを提供するための第２の複数のハンガ点とを含み、前記第１の腿支持体の前記下端部分は、前記第１の複数のハンガ点に選択的に掛止するための第１のフックを備え、前記第２の腿支持体の前記下端部分は、前記第２の複数のハンガ点に選択的に掛止するための第２のフックを備える、上記項目に記載の調節可能チャイルドキャリア。
（項目３）
前記第１の基部幅設定場所のセットは、前記ウエストベルトの内側に配置されたフックおよびループ材料を備え、前記第１の腿支持体の前記下端部分は、前記第１の基部幅設定場所のセットに選択的に取り付くように適合されるフックおよびループ材料の第１の領域を備え、
前記第２の基部幅設定場所のセットは、前記ウエストベルトの前記内側に配置されたフックおよびループ材料を備え、前記第１の腿支持体は、前記第２の基部幅設定場所のセットに選択的に取り付くように適合されるフックおよびループ材料の第２の領域を備える、上記項目のいずれかに記載の調節可能チャイルドキャリア。
（項目４）
前記ウエストベルトは、前記第１の基部幅設定場所のセットおよび前記第２の基部幅設定場所のセットを提供するフックおよびループ材料の連続領域を備える、上記項目のいずれかに記載の調節可能チャイルドキャリア。
（項目５）
前記第１の側面取付タブおよび前記第２の側面取付タブは各々、前記調節可能チャイルドキャリアが使用中であるときに前記子供に向く内側と、外側とを備え、
前記第１の中央部幅設定場所のセットは、前記第１の側面取付タブの前記外側に配置され、
前記第２の中央部幅設定場所のセットは、前記第２の側面取付タブの前記外側に配置される、上記項目のいずれかに記載の調節可能チャイルドキャリア。
（項目６）
前記第１の側面取付タブの外側に結合される第１のスライダガイド部材と、
前記第１の腿支持体の前記上端部分に結合される第１のスライダであって、前記第１のスライダは、前記第１の中央部幅設定場所のセットの間で前記第１の腿支持体の前記上端部分の位置を調節するように、前記第１のスライダガイド部材に沿って移動可能である、第１のスライダと、
前記第２の側面取付タブの外側に結合される第２のスライダガイド部材と、
前記第２の腿支持体の前記上端部分に結合される第２のスライダであって、前記第２のスライダは、前記第２の中央部幅設定場所のセットの間で前記第２の腿支持体の前記上端部分の位置を調節するように、前記第２のスライダガイド部材に沿って移動可能である、第２のスライダと
をさらに備える、上記項目のいずれかに記載の調節可能チャイルドキャリア。
（項目７）
前記第１のスライダガイド部材は、前記第１の側面取付タブ上の前記第１の中央部幅設定場所のセットに対応する第１の開口部のセットを画定し、前記第１のスライダは、前記第１の開口部のセットの各々に係合して対応する中央部幅設定場所に前記第１の腿支持体を固着させるように適合される第１のクリップピンを備え、
前記第２のスライダガイド部材は、前記第２の側面取付タブ上の前記第２の中央部幅設定場所のセットに対応する第２の開口部のセットを画定し、前記第２のスライダは、前記第２の開口部のセットの各々に係合して対応する中央部幅設定場所に前記第２の腿支持体を固着させるように適合される第２のクリップピンを備える、上記項目のいずれかに記載の調節可能チャイルドキャリア。
（項目８）
前記本体は、前記本体の側方中心線の第１の側に第１の側縁と、前記本体の前記側方中心線の第２の側に第２の側縁とを含み、
前記第１の側面取付タブは、前記第１の側縁よりも前記本体の前記側方中心線の近くで、前記本体の前記側方中心線の前記第１の側において前記本体に取り付けられ、
前記第２の側面取付タブは、前記第２の側縁よりも前記本体の前記側方中心線の近くで、前記本体の前記側方中心線の前記第２の側において前記本体に取り付けられる、上記項目のいずれかに記載の調節可能チャイルドキャリア。
（項目９）
前記調節可能チャイルドキャリアは、複数のキャリア構成に調節可能であり、前記複数のキャリア構成は、正面で内側に向いた構成と、正面で外側に向いた構成と、背面で内側に向いた構成と、側面で内側に向いた構成とを備える、上記項目のいずれかに記載の調節可能チャイルドキャリア。
（項目１０）
前記複数のバケットシート構成は、
第１のサイズ範囲の内側に向いた子供を蹲踞姿勢で支持するように適合される第１の構成と、
第２のサイズ範囲の内側に向いた子供を蹲踞姿勢で支持するための第２の構成と、
第３のサイズ範囲の内側に向いた子供を蹲踞姿勢で支持するための第３の構成と、
外へ向けられた子供を蹲踞姿勢で支持するための第４の構成と、
を備え、前記第１の構成は、第１のバケットシート基部幅と、第１のバケットシート深さとを有し、前記第２の構成は、第２のバケットシート基部幅と、第２のバケットシート深さとを有し、前記第３の構成は、第３のバケットシート基部幅と、第３のバケットシート深さとを有し、前記第１のバケットシート基部幅は、前記第２のバケットシート基部幅未満であり、前記第１のバケットシート深さは、前記第２のバケットシート深さを上回り、前記第２のバケットシート基部幅は、前記第３のバケットシート基部幅未満であり、前記第２のバケットシート深さは、前記第３のバケットシート深さを上回る、上記項目のいずれかに記載の調節可能チャイルドキャリア。
（項目１１）
前記第４の構成の中央部幅は、前記第１の構成の中央部幅、前記第２の構成の中央部幅、および前記第３の構成の中央部幅よりも狭い、上記項目のいずれかに記載の調節可能チャイルドキャリア。
（項目１２）
前記調節可能チャイルドキャリアは、前記バケットシート深さに依存する装着可能高さを有する、上記項目のいずれかに記載の調節可能チャイルドキャリア。
（項目１３）
前記シート部分は、
前記シート中心部分と前記第１の腿支持体との間に配置される第１の襠であって、前記第１の襠は、第１の腿支持ストラップと前記シート中心部分との間にまたがる第１の襠の第１の自由縁と、前記第１の腿支持体と前記シート中心部分との間にまたがる第１の襠の第２の自由縁とを有する、第１の襠と、
前記シート中心部分と第２の腿支持ストラップとの間に配置される第２の襠であって、前記第２の襠は、前記第２の腿支持ストラップと前記シート中心部分との間にまたがる第２の襠の第１の自由縁と、前記第２の腿支持ストラップと前記シート中心部分との間にまたがる第２の襠の第２の自由縁とを有し、前記第１の襠は、前記第１の腿支持体の前記下端部分の調節に応答して開閉するように適合され、前記第２の襠は、前記第２の腿支持体の前記下端部分を調節することに応答して開閉するように適合される、第２の襠と
を備える、上記項目のいずれかに記載の調節可能チャイルドキャリア。
（項目１４）
前記調節可能バケットシートの前記基部幅を減少させることは、前記第１の襠および前記第２の襠を深くし、前記調節可能バケットシートの前記バケットシート深さが増加することを可能にし、前記調節可能バケットシートの基部幅を増加させることは、前記第１の襠および前記第２の襠がより浅くなるようにし、前記調節可能バケットシートの前記バケットシート深さを減少させる、上記項目のいずれかに記載の調節可能チャイルドキャリア。
（項目１５）
内側の折り下げられた位置に構成可能な頸部支持体をさらに備え、前記内側の折り下げられた位置において、前記頸部支持体は、子供の頸部を支持するために前記子供担持領域内に位置付けられる、上記項目のいずれかに記載の調節可能チャイルドキャリア。
（項目１６）
前記頸部支持体はさらに、延在された折り上げられた位置および外側の折り下げられた位置にさらに構成可能である、上記項目のいずれかに記載の調節可能チャイルドキャリア。
（項目１７）
前記複数のバケットシート構成は、乳児用インサートを伴わずに、乳児を蹲踞姿勢で支持するように適合される構成を備える、上記項目のいずれかに記載の調節可能チャイルドキャリア。
（項目１８）
前記複数のバケットシート構成は、小児を蹲踞姿勢で支持するように適合される構成を備える、上記項目のいずれかに記載の調節可能チャイルドキャリア。
（項目１９）
前記第１の側面取付タブおよび前記第１の腿支持体は、前記装着者の胴体と協働して前記子供のための第１の脚開口部を形成するように成形され、前記第２の側面取付タブおよび前記第２の腿支持体は、前記装着者の胴体と協働して前記子供のための第２の脚開口部を形成するように成形される、上記項目のいずれかに記載の調節可能チャイルドキャリア。
（摘要）
調節可能チャイルドキャリアは、ウエストベルトと、本体と、肩ストラップと、側面取付タブと、腿支持体とを含む。側面取付タブは、肩ストラップのための下側取付点を提供する。腿支持体は、シート中心部分と協働して、対応するサイズ範囲内の子供を蹲踞姿勢で人間工学的に支持するように適合される複数のバケットシート構成で構成可能な調節可能バケットシートを形成する。腿支持体の上端部分は、複数の中央部幅設定場所において側面取付タブに選択的に結合されることができ、腿支持体の下端部分は、複数の基部幅設定場所においてウエストベルトに選択的に結合されることができる。
【図面の簡単な説明】
【００１３】
本発明のこれらおよび他の目的のより良い理解のために、付随の図面と関連付けて読まれるべき以下の本発明の詳細な説明への参照がなされる。
【００１４】
【図１Ａ】図１Ａは、広げられたキャリアの一実施形態の正面図を例証する。
【００１５】
【図１Ｂ】図１Ｂは、キャリアの一部が折り返されている広げられたキャリアの一実施形態の正面図を例証する。
【００１６】
【図１Ｃ】図１Ｃは、広げられたキャリアの一実施形態の後方内側図を例証する。
【００１７】
【図１Ｄ】図１Ｄは、キャリアの一部が折り返されている広げられたキャリアの一実施形態の後方内側図を例証する。
【００１８】
【図２】図２は、キャリアの一実施形態の正面図を例証する。
【００１９】
【図３Ａ】図３Ａは、正面で担持する内側に向いた構成で装着されているキャリアの一実施形態を例証する。
【００２０】
【図３Ｂ】図３Ｂは、正面で担持する外側に向いた構成で装着されているキャリアの一実施形態を例証する。
【００２１】
【図３Ｃ】図３Ｃは、背面で担持する内側に向いた構成で装着されているキャリアの一実施形態を例証する。
【００２２】
【図３Ｄ】図３Ｄは、側面担持構成で装着されているキャリアの一実施形態を例証する。
【００２３】
【図４】図４は、基部幅調節機構の一実施形態を例証する。
【００２４】
【図５Ａ】図５Ａは、第１の設定による基部幅調節機構の一実施形態を例証する。
【００２５】
【図５Ｂ】図５Ｂは、第２の設定による基部幅調節機構の一実施形態を例証する。
【００２６】
【図５Ｃ】図５Ｃは、第３の設定による基部幅調節機構の一実施形態を例証する。
【００２７】
【図６】図６は、基部幅調節機構の別の実施形態を例証する。
【００２８】
【図７Ａ】図７Ａは、第１の基部幅設定による正面で担持する内側に向いた構成で装着されているキャリアの一実施形態を例証する。
【００２９】
【図７Ｂ】図７Ｂは、第２の基部幅設定による正面で担持する内側に向いた構成で装着されているキャリアの一実施形態を例証する。
【００３０】
【図７Ｃ】図７Ｃは、第３の基部幅設定による正面で担持する内側に向いた構成で装着されているキャリアの一実施形態を例証する。
【００３１】
【図８Ａ】図８Ａは、中央部幅調節機構の一実施形態を例証する。
【００３２】
【図８Ｂ】図８Ｂは、スライダ機構の一実施形態の例証の一実施形態を例証する。
【００３３】
【図９】図９は、空気の流れを高めるための特徴を有するキャリアの一実施形態を例証する。
【００３４】
【図１０Ａ】図１０Ａは、肩ストラップ構成の一実施形態を例証する。
【００３５】
【図１０Ｂ】図１０Ｂは、肩ストラップ構成の別の実施形態を例証する。
【発明を実施するための形態】
【００３６】
チャイルドキャリアおよび関連方法ならびにその種々の特徴および利点の詳細が、付随の図面に例証され以下の説明に詳述される非限定的実施形態を参照することによって、より完全に解説される。周知の出発材料、処理技法、構成要素、および装備の説明は、本発明の詳細を不必要に曖昧にしないように省略される。しかしながら、詳細な説明および具体的な例は、本発明の好ましい実施形態を示すが、例証として与えられるにすぎず、限定ではないことを理解されたい。本発明の根本概念の意図および／または範囲内の種々の代用、修正、追加、および／または並べ替えは、本開示から当業者に明白となるであろう。
【００３７】
本開示は、乳児を含む子供が、ある範囲の年齢にわたって子供を支持し、子供の骨盤および腿を好ましい人間工学的姿勢に維持する態様で担持されることを可能にするチャイルドキャリアに関する。特に、本明細書に説明される実施形態は、子供の臀部、骨盤、および腿を所望の姿勢で支持するキャリアを提供する。本明細書に説明される実施形態はまた、子供が、子供を担持する人物の正面または背面または側面上で担持されることも可能にする。キャリアは、ユーザによって、装着者の正面、背面、または側面に装着されることができ、担持される子供の重量は、装着者の重心の近傍にあり、正面位置の場合、装着者の正面に近く、背面一の場合、装着者の背面に近く、側面位置の場合、側面に近い。加えて、子供は、姿勢のうちの少なくとも１つにおいて、内側に向いた向きまたは外側に向いた向きに向けられ得る。
【００３８】
一実施形態によると、チャイルドキャリアは、ウエストベルトと、胴体支持部分およびシート部分を形成する１つ以上のパネルと、肩ストラップのセットとを含む。胴体支持部分は、少なくとも子供の胴体を支持するために適合される。シート部分は、複数のバケットシート構成で構成可能なバケットシートを形成し、複数のバケットシート構成の各々は、異なるバケットシート深さおよびバケットシート幅を有し、対応するサイズ範囲内の子供を蹲踞姿勢に支持するように適合される。複数のバケットシート構成は、あるサイズの範囲内の子供を人間工学的に支持するように適合される構成を含む。例えば、複数のバケットシート構成は、乳児から小児までの子供を人間工学的に支持するための構成を含み得る。
【００３９】
チャイルドキャリアは、調節点を含み、調節点は、単独で、または協働して稼働し、チャイルドキャリアによって提供されるバケットシート領域の形状を調節する。これらの調節点は、限定することなく、シート基部幅、中央部幅、シート深さ、およびキャリア装着可能高さを調節するように構成されることができる。一実施形態によると、キャリアは、シート部分の基部幅を調節するための基部幅調節機構を含み、シート部分がキャリアのウエストベルトに結合される。シート部分の基部幅を調節することは、バケット領域のための最大形状、したがって、より小さな子供（例えば、新生児）のために好適な最も狭い設定に調節されたときのバケットシート領域の最大深さ、および最も広い設定に調節されたときのより大きな子供（例えば、小児）のためのバケットシート領域の最小深さを提供する役割を果たしてもよい。
【００４０】
バケットシートの深さが最大であるとき、子供の腿は、冠状面に対する子供の腿の角度が最大であり得るように支持され得、バケットシートの深さが最小であるとき、腿は、冠状面に対する子供の腿の角度が最小であり得るように支持され得る。同様に、バケットシートが最大であるとき、キャリアは、バケットシートが最小深さであるときより子供の背骨が比較的湾曲した状態で、キャリアがその中に担持される子供を維持するように構成され得る。
【００４１】
ある実施形態のキャリアはまた、高さを調節するように構成され得る。ある実施形態では、中心におけるウエストベルトの上部縁から中心におけるキャリアの上部縁までの物理的キャリアの長さは、一貫したままであるが、しかしながら、装着可能高さは、バケットシートサイズの設定に応じて変化する。基部幅がその最小設定／最も狭い設定にあると、バケットシートは、より深くまで使われ、子供は、ウエストバンドの上部縁からさらに離れるようにキャリア内により深く座らされ、したがって、装着可能高さのためにより少ない寸法を残す一方、基部幅がその最大／最も広い設定にあると、バケットシートは、浅く、子供は、ウエストベルトの上部縁のより近くに座らされ、装着可能高さのためにより多くの寸法を残す。
【００４２】
調節可能チャイルドキャリアは、子供が種々の向きで担持されているとき、子供の腰部、骨盤、臀部、および両上腿を支持しながら、正面、背面、または側面担持位置で広範囲のサイズの子供を収容するように構成されることができる。例えば、本明細書に開示されるようなチャイルドキャリアの実施形態は、新生児（乳児）（例えば、約７ポンド）と、加えて、最大約４５ポンド以上重さまでの子供とに使用可能な調節可能チャイルドキャリアを提供し得る。実施形態は、したがって、付加的乳児用インサートの使用を伴わずに乳児を担持するように適切に定寸され得る。そのような設定に従って構成されると、キャリアは、乳児の膝が上昇された状態で、チャイルドキャリアの子供担持領域内の子供の設置のために適合され得る。一実施形態では、乳児に収容するように調節されると、キャリアは、冠状面から９０〜１２０度の角度に乳児の大腿部を伴う姿勢で乳児を支持するように適合される。加えて、キャリアは、正中面から４５〜６０度に乳児の膝を伴う姿勢で乳児を支持するように適合されることができる。特定の実施形態では、キャリアは、蹲踞姿勢を促進するように適合されることができる。
【００４３】
別の側面によると、子供を支持し、子供の骨盤および腿を好ましい人間工学的姿勢に維持する態様で、子供が複数の向き（例えば、内側に向いている、および外側に向いている）で担持されることを可能にするチャイルドキャリアが、提供される。この目的のために、実施形態は、外側に向いた向きで子供を担持するために適合される構成から、内側に向いた向きで子供を担持するために適合される構成にキャリアを再構成するための内側／外側顔向け調節機構を含んでもよい。一実施形態によると、内側／外側顔向け調節機構を調節することは、ウエストベルトから離れるようにシート部分の幅を調節し、外側に向いた向きまたは内側に向いた向きで子供を担持するためのキャリアを構成する役割を果たすことができる。
【００４４】
いくつかの実施形態は、子供が外側に向いた向き（すなわち、子供を担持する人物から離れた方へ向いている）または内側に向いた向き（すなわち、子供を担持する人物に向いている）で担持されることを可能にし、さらに、子供が、子供を担持する人物の正面または背面または側面において担持されることを可能にする。特に、いくつかの実施形態は、外側に向いた向きおよび内側に向いた向きの両方で、子供の臀部、骨盤、および腿を所望の姿勢で支持する。キャリアは、装着者の正面、背面、または側面においてユーザによって装着されることができ、子供の体重は、装着者の重心の近傍かつ装着者のそれぞれ正面、背面、または側面に近接して担持される。
【００４５】
そのようなキャリアの実施形態はまた、調節可能頸部支持体を含んでもよい。そのような頸部支持体またはカラーは、子供が向いている方向、子供のサイズ、または他の基準に従って位置付けられ得る。調節可能頸部支持体は、頸部支持体が伸ばされ、キャリアの中心高さを増加させ、（子供のサイズに応じて）子供のための付加的な背部または頸部の支持を与え得るように、胴体支持部分に対して回転可能であり得る。頸部支持体はまた、装着者から離れて折り返され、（例えば、乳児ではない子供のために）キャリアの高さを低減させ得る。頸部支持体はまた、子供担持領域の内側に常駐して乳児または他の子供に付加的な頭部または頸部の支持を与え得るように、装着者に向かってキャリアの中に折り下げられ得る。
【００４６】
キャリアは、装着者のためにも同様に人間工学的であり得る。詰め物が入れられたウエストベルトは、腰椎支持を提供し得、肩ストラップ（キャリアの同じ側または反対側に取り付けられ得る）と協働し得、肩ストラップは、体重を装着者に均一に分散させながらキャリアを正面、側面、または背面担持位置に位置付けることができる構成可能ハーネスを形成し得る。キャリアは、子供が装着者の重心に近接して位置付けられる（これは、子供の体重を均一に分散させる）ように調節され得る。いくつかの実施形態では、ハーネスは、子供の体重の大部分が装着者の腰部に伝達されるように調節され得る。
【００４７】
本明細書に説明される実施形態は、人間工学的バケットシートが新生児から小児へと成長する乳幼児に対して徐々に調節し、乳幼児が複数の成長段階において人間工学的蹲踞（自然な「Ｍ形状」姿勢）で座らされることを確実にするので、以前のキャリアに優る利点を提供する。
【００４８】
付加的利点として、本明細書に説明される実施形態は、シート形状を変更するために、構造をキャリアに追加することも、構造をキャリアから除去することも要求しない調節可能シート形状を提供することができる。例えば、いくつかの実施形態は、乳児のための乳児用インサートを要求することなく、乳児およびより大きい子供を収容することができる。
【００４９】
本明細書に説明される実施形態は、パネルをシートに追加することも、パネルをシートから除去することもせずに、キャリアシート形状が容易に調節されることを可能にすることによって、別の利点を提供することができる。
【００５０】
本明細書に説明される実施形態は、キャリアの全長を伸ばすための複雑な機構を要求することなく調節されることができる装着可能長さを有するキャリアを提供することによって、別の利点を提供することができる。
【００５１】
本明細書に説明される実施形態は、同一のキャリアが少なくとも１つの位置において内側に向いた向きおよび外側に向いた向きの両方を支持することを可能にすることによって、別の利点を提供する。
【００５２】
図１Ａは、キャリア１００が広げられた構成にある調節可能チャイルドキャリア１００の一実施形態の正面図を例証し、図１Ｂは、キャリアの一部が折り返されている、広げられた構成にあるキャリア１００の一実施形態の正面図を例証し、図１Ｃは、広げられた構成にあるキャリア１００の一実施形態の後方内側図を例証し、図１Ｄは、キャリアの一部が折り返されている広げられた構成にあるキャリア１００の一実施形態の後方内側図を例証する。図２は、子供担持構成の一実施形態におけるチャイルドキャリア１００の正面図の一実施形態を例証する。キャリア１００は、子供の臀部、骨盤、および腿を支持するためのシート部分１０２と、キャリア１００内にいる子供の上半身を支持するための胴体支持部分１０４とを含む。
【００５３】
調節可能キャリア１００は、装着者に対して様々な位置に装着され得、内側に向いた向きおよび外側に向いた向きで子供を人間工学的に支持することができる。図３Ａは、例えば、子供が内側に向いた（装着者から離れて向いた）向きで支持されている、正面担持位置に装着された調節可能チャイルドキャリアの一実施形態の側面図である。すなわち、キャリアは、図３Ａでは「正面で内側に向いた」構成で構成される。図３Ｂは、子供が外側に向いた（装着者から離れて向いた）向きで支持されている、正面担持位置に装着された調節可能チャイルドキャリアの一実施形態の側面図である。すなわち、キャリアは、図３Ｂでは「正面で外側に向いた」構成で構成される。図３Ｃは、子供が内側に向いた向き（「背面で内側に向いた」構成）で支持されている、背面担持位置に装着された調節可能チャイルドキャリアの一実施形態の側面図の図式的表現である。図３Ｄは、子供が内側に向いた向き（「側面で内側に向いた」構成）で支持されている、側面担持（または腰部担持）位置にあるチャイルドキャリアの一実施形態の図式的表現である。
【００５４】
例証される実施形態では、キャリア１００は、ウエストベルト１０５と、本体１１０（例えば、主要パネル）と、肩ストラップ１１８と、側面取付タブ１２０（例えば、側面肩ストラップ取付タブ）と、腿支持体１３０（例えば、腿支持タブ）と、頸部支持体１７０とを含む。子供は、装着者の胴体と協働するキャリアの本体１１０によって生成される子供担持領域内で支持されることができ、ウエストベルト１０５および肩ストラップ１１８は、子供の体重を装着者に分散させるハーネスを提供する。ウエストベルト１０５は、子供の体重を装着者の腰部に分散させるために、または別様に装着者の快適性を増加させるために、種々の詰め物が入れられた区分（例えば、詰め物が入れられた区分１０７および詰め物が入れられた区分１０９）を含み得る。肩ストラップは、キャリア位置および装着者の好みに応じて、限定ではないが、平行ストラップ構成（図１０Ａ）およびクロスストラップまたは「ｘ」構成（図１０Ｂ）を含む様々な構成で配列されることができる。クロスストラップ１１９（胸部／背部ストラップ）が、ある構成で左右の肩ストラップをともに固着させるために使用されることができる。
【００５５】
キャリア１００は、様々な手法で構築され得る。例証される実施形態では、本体１１０は、中心パネル１１２と、側面パネル１１４とを備える。本体１１０の中心パネル１１２および側面パネル１１４の下縁は、ウエストベルト１０５に取り付けられる。腿支持体１３０および側面取付タブ１２０は、本体１１０の側縁１４０から離れるようにキャリアの本体１１０の内側に取り付けられる。例証される実施形態では、腿支持体１３０および側面取付タブ１２０は、中心パネル１２２の側縁および側面パネル１１４の内側に近接して取り付けられる。腿支持体１３０の上端部分は、複数の場所において側面取付タブ１２０に選択的に結合されることができ、腿支持体１３０の下端部分は、複数の場所においてウエストベルト１０５に選択的に結合されることができる。
【００５６】
一実施形態によると、第１の側面取付タブ１２０取付パネルは、本体１１０の側方中心線の第１の側かつ側方中心線のその側にある第１の側縁１４０よりも側方中心線の近くで、本体１１０に取り付けられ、第２の側面取付タブ１２０は、本体１１０の側方中心線の第２の側かつ側方中心線のその側にある第２の側縁１４０よりも側方中心線の近くで、本体１１０に取り付けられる。
【００５７】
側面取付タブ１２０は、肩ストラップ１１８の下端の取付のためのウィングまたはフラップを提供する。各側面取付タブ１２０の一部は、主要パネルから離れるように自由に引動される（例えば、揺動する）。例証される実施形態では、側面取付タブ１２０の底縁、外側縁、および上部縁は、自由であり、したがって、側面取付タブは、主要パネルから離れるように揺動するか、または別様に引動され得る。
【００５８】
一実施形態によると、各側面取付タブ１２０の全てまたは一部は、キャリアが広げられて開かれているとき、側面取付タブ１２０におけるキャリアの幅が本体１１０の底端から同一の距離における本体１１０の幅を上回るような幅を有し得る。例証される実施形態では、側面取付タブ１２０の上部分（それぞれの上部縁に近接し、ウエストベルトから遠位にある部分）は、本体１１０の最も近い側縁を越えて延在し得る十分な長さを有する。側面取付タブ１２０および腿支持タブ１３０は、側面取付タブ１２０が肩ストラップ１１８によって本体１１０から離れるように引動されたときに子供の脚部のための脚開口部を提供するように成形される。
【００５９】
各側面取付タブ１２０は、肩ストラップ１１８のための取付点を含む。例証される実施形態では、例えば、各側面取付タブ１２０は、ある取付点を含み、その取付点で、肩ストラップ１１８ウェビング取付タブが、各側面取付タブ１２０の外部側に縫製されるか、または別様に結合される。肩ストラップを側面取付タブにバックルで留めることの種々の実施形態が、使用されることができる。側面取付タブ１２０の使用は、キャリアの中心により近い肩ストラップからの力を、側縁１４０から離れるように指向し、したがって、キャリアの外縁１４０上の張力を低減させ、それによって、子供の移動の自由を高める。
【００６０】
シート部分１０２は、子供の脚部および腰部を人間工学的に位置付けるように構成可能な調節可能バケットシートを形成する。バケットシートは、子供が成長するにつれてバケットシートを調節し、子供の骨盤、臀部、および腿が全て支持された状態で子供の体重またはサイズに適切な人間工学的蹲踞姿勢で子供を支持するように調節可能である基部幅調節機構を含む。人間工学的蹲踞姿勢（「カエル足」、「カエル」、「蹲踞開脚」、または「Ｍ」姿勢としても知られる）では、股関節における屈曲は、冠状面から、少なくとも９０°、ある場合には、１１０°〜１２０°であり、開脚角度は、正中面から平均約４５〜５５°であり得る。キャリアが調節可能である場合、腰部および開脚の角度は、キャリアの設定および子供の発達段階に依存し得る。加えて、または代替では、キャリア１００は、シートの上部幅を調節し、内側に向いた向きで子供を担持するために好適な内側に向いた構成から、外側に向いた向きで子供を担持するために好適な外側に向いた向きにキャリアを変換するための中央部幅アジャスタを含み得る。
【００６１】
一実施形態では、キャリア１００のバケットシートは、子供の大腿部を冠状面から約９０°〜１２０°（または他の上昇位置）を有する位置に子供を支持し、子供の膝をある開脚量で位置付けるように適合されることができる。開脚量は、子供の発達段階および向きに依存し得、新生児は、最終的な開脚が約４０°〜４５°であるように、３０°未満、次いで約３０°、次いで約３５°〜４０°等を有するが、他の開脚の量（例えば、約５５°を含む）も、達成され得る。一実施形態では、開脚は、正中面から少なくとも２０°度であり得る。子供の重量は、子供の臀部、腿、および背部にわたって分散されることができ、それによって、仙骨は、あまりに大きい体重を担わず、子供は、骨盤発達のためにより良好であると考えられる蹲踞姿勢におけるより自然に湾曲した「Ｃ」背骨で静置することができる。しかしながら、子供は、任意の快適な姿勢で位置付けられ、好ましくは、子供が主にその仙骨に体重をかけている場合の体勢ではなく、支持体勢を重要視し得ることが留意され得る。
【００６２】
キャリア１００は、したがって、様々な構成を支持し得る。例えば、第１の構成は、第１のサイズ範囲の子供を第１の向きで対応する第１の蹲踞姿勢で支持するように適合され得、第２の構成は、第２のサイズ範囲の子供を第１の向きで第２の対応する蹲踞姿勢で支持するように適合され得、第３の構成は、第３のサイズ範囲の子供を第１の向きで第３の対応する蹲踞姿勢で支持するように適合され得る。第１の構成は、第１のバケットシート基部幅と、第１のバケットシート深さとを有し得、第２の構成は、第２のバケットシート基部幅と、第２のバケットシート深さとを有し得、第３の構成は、第３のバケットシート基部幅と、第３のバケットシート深さとを有し得る。一実施形態によると、第１のバケットシート基部幅は、第２のバケット基部シート幅未満であり、第１のバケットシート深さは、第２のシートバケット深さを上回り、第２のバケットシート基部幅は、第３のバケットシート幅未満であり、第２のバケットシート深さは、第３のバケットシート深さ未満である。キャリアはさらに、第４の対応する蹲踞姿勢で第２の向きで子供を支持するように適合される第４の構成に構成可能であり得る。第１の向きは、内側に向いた向きであり得、第２の向きは、外側に向いた向きであり得る。他の実施形態は、付加的構成、またはより少ない構成を支持し得る。
【００６３】
一実施形態によると、キャリア１００のシート部分１０２は、シート中心部分１１６と、シート中心部分１１６の両側に配置される腿支持体１３０とを備える。各腿支持体１３０は、複数の位置でウエストベルト１０５（または他の構造）に選択的に結合するように適合される下端部分と、複数の位置でそれぞれの側面取付タブ１２０（例えば、側面肩ストラップ取付タブ）に選択的に結合するように適合される上端部分とを有し得る。シート中心部分１１６および腿支持体１３０は、協働して、子供の成長の種々の段階の間、子供を人間工学的蹲踞姿勢に支持するように調節可能である調節可能バケットシートを形成する。調節可能バケットシートの形状は、腿支持体１３０の下端部分および上端部分がウエストベルト１０５および側面取付タブ１２０に結合される位置に依存する。
【００６４】
シート部分１０２の腿支持体１３０は、子供担持領域の外側（装着者の胴体から離れた側）から内側へ通過し、支持的調節可能バケットシートを形成するように適合される。支持的調節可能バケットシートは、内側から外側に、かつ右から左に、略凹面（例えば、「Ｃ」形）内側外形を有することができる。シートの側縁（腿支持体１３０の縁によって形成される）は、シートの中心より高くあり得、離間され得、それによって、側縁は、子供の脚部（例えば、膝より上）がぶらぶらしないように、子供の腰部からある距離で子供の腿の下およびその周囲を通過する。いくつかの実施形態では、腿支持体１３０は、付加的支持を提供し得る。特に、ある実施形態では、腿支持体１３０は、ギャザー、弾性材料、または別のタイプの付勢材料を含み得る。一実施形態では、腿支持体１３０は、少なくとも外縁に近接する腿詰め物１３２の領域を提供し、子供の腿を支持する。
【００６５】
キャリア１００は、バケットシートの幅がウエストベルト１０５において調節されることを可能にするための複数の設定を有する基部幅アジャスタを備える。より具体的には、基部幅アジャスタは、腿支持体１３０の下端部分１５０が複数の場所でウエストベルト１０５に選択的に結合されることを可能にする。基部幅アジャスタは、いくつかの形態を有し得る。一実施形態では、基部幅アジャスタは、腿支持体１３０の下端部分に取り付けられたフックと、腿支持体１３０をウエストベルト１０５に選択的に結合するようにウエストベルト１０５上でフックが取り付けられ得る複数の取付点（ハンガ点）とを含む。例証される実施形態では、例えば、基部幅アジャスタは、腿支持体１３０に取り付けられたフックバックル１５２と、フックのための複数の取付点を形成するように複数の離間された場所においてウエストベルト１０５に縫製されるかまたは別様に取り付けられた材料のストリップ１５４（例えば、ウェビング）とを備える。この配列を用いて、腿支持体１３０は、種々の場所においてウエストベルト１０５に掛止し、バケットシートの基部幅（すなわち、ウエストベルト１０５におけるバケットシートの幅）を調節することができる。取付点は、限定ではないが、ウエストベルト１０５に取り付けられた材料（例えば、布地、プラスチック、または他の材料）の別個のループ等の他の機構を使用して提供され得ることを理解されたい。
【００６６】
シート部分１０２はまた、バケットシートを成形することを促進するための１つ以上の成形部材を含み得る。限定ではないが、ダーツ、プリーツ、ギャザー、またはタックを含む任意の好適な成形機構が、バケットシートの完全度を制御するために使用されることができる。一実施形態では、シート部分は、シート中心部分１１６および腿支持体１３０に取り付けられた材料によって形成される襠１６０を含む。例えば、一実施形態によると、各襠１６０の側方外縁１６２は、それぞれの腿支持体１３０に取り付けられ、各襠１６０の側方内縁１６４は、本体に取り付けられる。各襠１６０は、それぞれの腿支持体１３０とシート中心部分１１６との間のギャップを補い得る。襠１６０は、自由上部縁と自由下縁（ウエストベルトに近接する縁）とを有し得る。
【００６７】
襠１６０は、襠を集合させまたは解放するように開閉され得る縁を有するダーツとして作用することができる。特に、腿支持体１３０がウエストベルト１０５に結合する位置を調節し、シート中心部分１１６と腿支持体との間の角度または分離を減少させることによって、襠１６０を閉鎖し、ダーツが、深くなる。その結果として、バケットシートは、さらに隆起し、より深い湾曲を帯びることができる。逆に、腿支持体１３０がウエストベルト１０５に結合する位置を調節し、シート中心部分１１６と腿支持体１３０との間の角度または分離を増加させることは、襠１６０を開放し、襠１６０によって形成される形状をより浅くする。その結果として、キャリアによって形成されるバケットシートは、より浅くなる。
【００６８】
図４は、腿支持体１３０に取り付けられたフックバックル１５２と、フックのための複数のハンガ点１５６（全てのハンガ点が示されているわけではない）を提供する材料のストリップ１５４とを備える基部幅調節機構の一実施形態を例証する。詳細図にさらに例証されるように、フックバックル１５２は、その腿支持体１３０のための最外ハンガ点１５６に取り付けられる。
【００６９】
図５Ａ、図５Ｂ、および図５Ｃは、基部幅アジャスタが種々の設定で設定される実施形態を例証する。ウェビング１５４は、キャリアが装着されるときに最外ハンガ点が最内のハンガ点よりも高いように、湾曲している。内側設定は、最小基部幅（図５Ａ）をもたらし、外側設定は、最大基部幅（図５Ｃ）をもたらす。ハンガ点１５６およびフックバックル１５２は、腿支持体を適切な設定に固着させるために使用されることができる。各腿支持体１３０の下端部分１５０は、種々のバケットシート形状を達成するように、複数の位置においてウエストベルト１０５に結合されることができる。
【００７０】
一実施形態によると、バケットシートの基部幅を調節することはまた、バケットシートの深さも調節する。さらにより具体的な実施形態では、基部幅を減少させることは、襠１６０の底縁を閉鎖し、バケットシート深さ１７２（バケットのシートの最深点における深さ）が増加することを可能にする一方、基部幅を増加させることは、襠１６０の底縁を開放し、バケットシート深さ１７２を減少させる。
【００７１】
図５Ａに例証されるような最小（または最狭）基部幅設定では、腿支持体１３０の下端部分１５０は、（可能性として考えられる位置の範囲または数を前提として）相互に最大限に近接するように、ウエストベルト１０５に結合される。この最小基部幅設定では、キャリアは、シートバケットの深さ１７２が最大であるように構成される。図５Ｃに例証されるような最大（または最も広い）基部幅設定では、腿支持体１３０の下端部分１５０は、可能性として考えられる位置の範囲または数を前提として、相互から最大限に遠位にあるように、ウエストベルト１０５に結合され得る。この最大（または最も広い）基部幅設定では、キャリアは、シートバケットの深さ１７２が最小であるように構成される。
【００７２】
さらに、さらなる材料がバケットシートのために使用されるにつれて、より少ない材料が、キャリア高さのために利用可能となり、かつ、胴体支持部分として作用するために利用可能となるので、バケットシートの深さを調節することはまた、キャリアの装着可能高さ１７４（バケットシートの底部から胴体支持部分の上部縁までの長さ）を調節することもできる。したがって、いくつかの実施形態において乳児を担持するために好適であり得る最小子供モード（その最小／最も狭い設定における基部幅）に調節されると、バケットシートは、より深く、キャリア長さ寸法のより多くを使い、したがって、装着可能高さ１７４のためにより少ない寸法を残す。小児を担持するために好適であり得る、最大子供モード（その最大／最も広い設定における基部幅）に調節されると、バケットシートは、浅く、より少ないキャリア長さ寸法を使い、したがって、装着可能高さ１７４のためにより多くの寸法を残す。したがって、キャリアは、バケットシートを調節することによって、子供の身長のために調節可能であり得る。
【００７３】
キャリアは、成長の種々の段階における子供を収容するために、最小基部幅設定と最大基部幅設定との間の任意の数の中間基部幅設定を有し得る（または中間基部幅設定を有していないこともある）。図５Ｂは、例えば、バケットシート深さ１７２が、図５Ａのものよりも浅いが、図５Ｃのものよりも深く、装着可能高さ１７４が、図５Ａのものよりも長いが、図５Ｃのもの未満である、中間基部幅設定を例証する。そのような設定は、乳児段階と小児段階との間の若年の子供のために好適であり得る。
【００７４】
図６は、基部幅アジャスタの別の実施形態を例証する。図６の実施形態では、本体２１０のシート中心部分が、ウエストベルト２０５の上縁に結合されている。腿支持体２３０（例えば、腿支持体タブ）は、本体２１０のシート中心部分と協働し、バケットシートを形成する。取付点２５６が、ウエストベルト２０５に取り付けられたフックおよびループ材料の領域を使用して、ウエストベルト２０５上に提供される。取付点は、フックおよびループ材料の連続ストリップ２５２の一部であることも、フックおよびループ材料の別個のパッチであることも、別様に配列されることもある。腿支持体２３０の下端部分２５０は、腿支持体２３０が取付点においてウエストベルト２０５に選択的に取り付けられ得るように、側面に向いたウエストベルト２０５上にフックおよびループ材料のパッチを含む。
【００７５】
腿支持体２３０がウエストベルト２０５に取り付けられる場所を調節することは、ウエストベルト２０５におけるバケットシートの基部幅を調節する。さらに、バケットシートの基部幅を調節することはまた、バケットシートの深さも調節する。さらにより具体的な実施形態では、基部幅を減少させることは、襠２６０の底縁を閉鎖し、バケットシート深さ（バケットシートの最深点における深さ）が増加することを可能にする一方、基部幅を増加させることは、襠２６０の底縁を開放し、バケットシート深さを減少させる。上記に議論されるように、バケットシート深さを調節することはまた、いくつかの実施形態において、キャリアの装着可能高さを調節することもできる。
【００７６】
図５Ａ−図５Ｃおよび図６の実施形態は、限定ではなく、例として提供される。他の実施形態は、腿支持体上に取付点および対応する特徴を提供するために、例えば、ボタン、スナップ、または他のタイプの締結具をウエストベルト上に含み得（または逆も同様である）、それによって、腿支持体は、バケットシート基部幅を調節するために複数の場所においてウエストベルトに選択的に取り付けられることができる。いくつかの実施形態では、基部幅設定は、ウエストベルトと装着者との間において、ウエストベルトの内側にある。
【００７７】
ユーザは、子供の骨盤、臀部、および腿が全て支持された状態で、子供の重量またはサイズのために適切な人間工学的蹲踞姿勢に子供を支持するために、バケットシートを調節することができる。子供の重量は、子供の体重が主に仙骨にかかるように座るのではなく、子供がシート内で蹲踞するように支持されることができる。子供は、膝が臀部より高い、ある場合には、９０度より高い状態で、支持されることができる。バケットシートは、子供の臀部が支持されている子供の腰部より広いスリングまたはパウチを形成するように調節されることができる。子供の腿の下およびその周囲を通る腿支持体の部分が、子供の膝を持ち上げるために子供の臀部より高いように、腿支持体は、子供の腰部からある距離で、子供の腿の下およびその周囲を通るように調節されることができる。腿支持体は、子供の腿が腿支持体または装着者の胴体によって広がることを促すために十分な堅度を有することができる。
【００７８】
キャリアは、支持される範囲を通して子供のサイズにかかわらず、子供のための人間工学的支持を提供するように調節され得る。図７Ａ、図７Ｂ、および図７Ｃは、例えば、種々の構成におけるキャリアの一実施形態の側面図の図式的表現である。これらの図は、種々の構成における子供の背骨の形状（線３１２）、子供の腿の角度（線３１４）、バケットシート深さ３１６、およびキャリア高さ３１８を例証する。
【００７９】
一実施形態によると、キャリアは、基部幅がその最も狭い設定に設定されると、乳児のために設定されることができる。図７Ａに例証されるようなこの構成では、バケットシートは、その最も深い深さとなり、腿支持体におけるより高い壁が、子供の腿および膝をより大きな角度かつそのサイズの子供のために適切な蹲踞姿勢まで持ち上げる。さらに、キャリアは、子供の背骨により深いＣ形状を可能にする態様で子供を支持する。同様に、キャリアは、基部幅がその最も広い設定にあると（図７Ｃ）、最も大きい子供のために設定されることができる。この構成では、バケットシートは、その最も浅い深さとなり、腿支持体におけるより低い壁は、子供の腿および膝をより小さい角度かつより大きいサイズの子供のために適切な蹲踞姿勢に持ち上げ得る。さらに、この構成では、子供の背骨は、中程度のＣ形状のみを有する。図７Ｂは、中間設定に設定されたキャリアの例を例証する。
【００８０】
したがって、調節可能バケットシートは、異なるシートバケット深さおよびシートバケット幅を有する複数の構成において構成可能である。異なる構成は、対応するサイズ範囲内の子供を蹲踞姿勢に支持するように適合されることができる。例えば、一実施形態では、バケットシートは、２０〜２４インチの子供（概して、０〜３ヶ月の７ポンドを上回る乳児に対応する）を、乳児用インサートを要求せずに、乳児のために適切な蹲踞姿勢で人間工学的に担持するように適合される第１の構成を有することができる。さらに、キャリアは、２４〜２８インチの子供（概して、３〜９ヶ月のより高齢の乳幼児に対応する）をその子供のサイズに適切な蹲踞姿勢において人間工学的に担持するように適合される第２の構成を有することができる。加えて、この例では、キャリアは、２８インチまたはそれを上回る子供（概して、９〜４８ヶ月のより高齢の乳幼児または小児に対応する（キャリアまたは装着者の担持容量まで））を人間工学的に担持するように適合される第３の構成を有することができる。第１の構成は、最も狭い設定（最深バケットシート）（乳児モード）における基部幅に対応することができ、第２の構成は、中程度の設定における基部幅に対応することができ、第３の構成は、最も広い設定（最も浅いバケットシート）（小児モード）における基部幅に対応することができる。上記に提供される範囲は、一例として提供され、限定ではないことが留意され得る。
【００８１】
キャリアはまた、バケットシートのための第２の幅調節も含み得る。特に、第１の側面取付タブ１２０は、第１の腿支持体１３０の上端部分が設定され得る中央部幅設定場所の第１のセットを提供し得、第２の側面取付タブ１２０は、第２の腿支持体１３０の上端部分が設定され得る中央部幅設定場所の第２のセットを提供し得る。腿支持体の上端部分を調節することは、キャリアの中央部におけるキャリアの幅を調節し、例えば、内側に向いた担持構成と外側に向いた担持構成との間でキャリアを再構成するために使用され得る。中央部幅アジャスタは、例えば、外側設定と内側設定とを有し得る。内側に向いた向きのために、腿支持体の上端部分は、子供の腿のためのさらなる被覆を提供するように、外側設定に位置付けられる。外側に向いた向きのために、腿支持体の上端部分は、子供の腿の広がりを低減させるように、内側設定に位置付けられる。図３Ｂに例証されるように、この構成でも、腿支持体は、子供の腿を適切な角度まで持ち上げることができる。
【００８２】
図８Ａおよび図８Ｂは、中央部幅アジャスタの一実施形態を例証する。一対のスライダガイド部材１２４が、キャリアに（例えば、胴体支持部分に、または、例証されるように、各側面取付タブ１２０に）結合される。各スライダガイド部材１２４は、レール１２５等のスライダガイドを提供する。スライダクリップ（スライダ）１２６が、各腿支持体１３０の上端部分に取り付けられる。スライダ１２６は、レール１２５に沿って摺動する。スライダガイド部材１２４は、複数のスライダ開口部１２８を有し、スライダ１２６は、開口部に係合するように適合されるクリップピン１２９を有する。例えば、スライダガイド部材１２４は、内側設定のためのスライダ開口部１２８と、外側設定のためのスライダ開口部１２８とを有し得る。スライダクリップピン１２９は、開口部の中にクリップ留めし、クリップピンの材料性質に基づいて、またはばね等の付勢部材を介して、スライダを定位置に解放可能に係止することができる。例証される実施形態では、２つのスライダ開口部１２８が存在するが、他の実施形態は、付加的位置を支持し得る。ガイドおよびスライダの使用は、限定ではなく、一例として提供される。様々な機構が、側面取付タブ１２０（または胴体支持部分）または他の調節機構上の腿支持体およびハンガ点上にクリップ、ボタン、スナップ、フック等の中央部幅調節を提供するために、使用されることができる。
【００８３】
したがって、いくつかの実施形態では、キャリアは、内側に向いた子供のために好適な１つ以上の構成と、外側に向いた子供のために好適な１つ以上の構成とを有し得る。例えば、チャイルドキャリアは、内側に向いた向きにおける子供のために好適な外側設定に対応する中央部幅設定を有する第１、第２、および第３の構成に調節可能であり得る一方、第４の構成が、外側に向いた向きにおける内側設定に対応する中央部幅を有し得る。いくつかの実施形態では、外側に向いた向きはより大きい子供に限定されることが留意され得る。
【００８４】
図１Ａ−図１Ｄに戻ると、キャリア１００はまた、調節可能頸部支持体１７０を含み得る。調節可能頸部支持体１７０は、キャリアの中心高さを増加させるように伸ばされ、（子供のサイズに応じて）子供のための付加的な背部または頸部の支持を与え得る。頸部支持体１７０はまた、装着者から離れるように折り返され、（例えば、乳児ではない子供のために）キャリアの高さを低減させ得る。頸部支持体１７０はまた、子供担持領域の内側に常駐し、乳児または他の子供に付加的な頭部または頸部の支持を与え得るように、装着者に向かって折り下げられ得る。頸部支持体１７０のサイズ、形状、および位置は、頸部支持体がキャリアの中に折り畳まれるときに頸部支持体が平均的な乳児の頸部の背後に嵌合して支持するように選択されることができる。
【００８５】
いくつかの実施形態では、キャリア１００は、空気の流れを高めるための特徴を含み得る。図９は、いくつかの実施形態が空気の流れを高めるための特徴を含み得ることを例証する。いくつかの実施形態は、肩ストラップ上の詰め物（詰め物４０２）、ウエストベルト（詰め物４０４）、または腰椎支持体（詰め物４０６）として、有孔ＥＶＡ（もしくは他の材料）を使用し得、有孔材料は、より多くの空気の流れのために詰め物の内側から外側に通る設計された開口部を有する。空気の流れのための設計された開口部の有無を問わず、ポリウレタンフォームまたは他の材料等の様々な材料が、詰め物のために使用され得ることを理解されたい。
【００８６】
図１０および図１０Ｂは、例示的肩ストラップ設定を例証する。キャリア１００の肩ストラップ１１８は、ループを形成し、キャリアの本体の側方中心線の両側に取り付けられるように構成されることができる（図１０Ａ）。他の実施形態では、肩ストラップは、「ｘ」構成で装着され得る（図１０Ｂ）。肩ストラップは、胴体支持部分を装着者に向かって引動する。肩ストラップは、調節可能であり得、ある場合には、正面担持、側面担持位置（腰部担持）、または背面担持位置等の複数のキャリア位置を支持するように再構成されることができる。
【００８７】
ウエストベルト１０５は、装着者の腰部上に静置するように構成される腰椎支持部分（例えば、部分１０９）を有してもよい。好ましくは、ウエストベルト１０５と肩ストラップ１１８とを備えるハーネスは、子供の重量が装着者の腰部および肩部に均一に分散されるように、さらにより好ましくは、子供の重量が装着者の腰部および肩部に、ある場合には、肩部ではなく主に装着者の腰部に均一に分散されるように構成される。ある場合には、子供の重量の７０パーセント以上が、ウエストベルトを通して装着者の腰部に分散され、それによって、装着者の快適性を促進し、装着者の疲労を少なくすることができる。
【００８８】
本開示の一側面によると、キャリアは、構造を提供するための詰め物、縫製、および布地を組み込む軟質の構造化されたキャリアである。胴体支持部分、シート部分、および腿支持タブ、および側面取付タブは、可撓性であり得、剛性フレームを伴わずに、主に天然繊維または合成繊維から形成されることができる。しかしながら、当業者によって理解されるように、軟質の構造化されたキャリアのバックル、締結具等のいくつかの構成要素は、硬質なプラスチック、金属、および同等物から形成され得る。
【００８９】
キャリアは、単一の材料片もしくは複数の材料片、複数の材料層、または複数の材料から形成された１つ以上のパネルを含み得る。内側層は、子供の皮膚に対する快適性のために選択され得、外側層は、通気性、ファッション性、歪み抵抗等のために選択され得る。
【００９０】
本明細書に説明される実施形態はまた、子供が外側に向いた向き（すなわち、子供を担持する人物から離れる方に向いている）または内側に向いた向き（すなわち、子供を担持する人物に向いている）で担持されることを可能にし、さらに、子供が子供を担持する人物の正面または背面または側面において担持されることを可能にする。特に、本明細書に説明される実施形態は、外側に向いた向きおよび内側に向いた向きの両方で、子供の臀部、骨盤、および腿を所望の姿勢で支持するキャリアを提供する。キャリアは、装着者の正面、背面、または側面においてユーザによって装着され、子供の重量は、それぞれ、装着者の重心の近傍、かつ、正面位置、背面位置、または側面位置において装着者のそれぞれ正面、背面、または側面に近接して担持されることができる。
【００９１】
本明細書で使用される場合、用語「ｃｏｍｐｒｉｓｅ（〜を備える）」、「ｃｏｍｐｒｉｓｉｎｇ（〜を備える）」、「ｉｎｃｌｕｄｅｓ（〜を含む）」、「ｉｎｃｌｕｄｉｎｇ（〜を含む）」、「ｈａｓ（〜を有する）」、「ｈａｖｉｎｇ（〜を有する）」、またはその任意の他の変形例は、非排他的な含有に及ぶことを意図している。例えば、要素のリストを備えるプロセス、物品、または装置は、必ずしも、それらの要素のみに限定されず、明示的に列挙されていない要素、またはそのようなプロセス、物品、または装置に固有の他の要素を含み得る。さらに、反対のことが明確に記述されない限り、用語「ｏｒ（または）」は、包括的な「または」を指し、排他的な「または」を指さない。例えば、条件ＡまたはＢは、以下のうちの任意の１つによって充足され、すなわち、Ａが真であり（または存在し）かつＢが偽である（または存在しない）、Ａが偽であり（または存在せず）、Ｂが真である（または存在する）、ならびに、ＡおよびＢの両方が真である（または存在する）。本明細書で使用される場合、「ａ」または「ａｎ」（および、先行する基準が「ａ」または「ａｎ」であるときは「ｔｈｅ」）によって先行される用語は、別のこと（すなわち、「ａ」または「ａｎ」の言及が、単数形のみか、または複数形のみを明確に示すこと）が明確に示されない限り、そのような用語の単数形および複数形の両方を含む。
【００９２】
加えて、本明細書において与えられる任意の例または例証は、いかようにも、それらが利用される任意の用語（単数または複数）を制限し、限定し、またはその定義を表現するものとして見なされない。代わりに、これらの例または例証は、ある特定の実施形態に関して説明されているものとみなされるべきであり、例証にすぎないものと見なされるべきである。当業者は、これらの例または例証とともに利用される任意の用語（単数または複数）が、それとともに、または明細書の他の場所で与えられることも、与えられないこともある他の実施形態を包含し、全てのそのような実施形態が、その用語（単数または複数）の範囲内に含まれることを意図していることを理解するであろう。そのような非限定的な例および例証を指定する言葉は、限定ではないが、「ｆｏｒ  ｅｘａｍｐｌｅ（例えば）」、「ｆｏｒ  ｉｎｓｔａｎｃｅ（例えば）」、「ｅ．ｇ．（例えば）」、「ｉｎ  ｏｎｅ  ｅｍｂｏｄｉｍｅｎｔ（一実施形態では）」を含む。
【００９３】
本明細書の全体を通した「ｏｎｅ  ｅｍｂｏｄｉｍｅｎｔ（一実施形態）」、「ａｎ  ｅｍｂｏｄｉｍｅｎｔ（ある実施形態）」もしくは「ａ  ｓｐｅｃｉｆｉｃ  ｅｍｂｏｄｉｍｅｎｔ（具体的実施形態）」、または同様の語の言及は、実施形態に関連して説明される特定の特徴、構造、または特性が、少なくとも１つの実施形態に含まれ、必ずしも全ての実施形態に存在するわけではないこともあることを意味する。したがって、本明細書の全体を通した種々の場所における語句「ｉｎ  ｏｎｅ  ｅｍｂｏｄｉｍｅｎｔ（一実施形態では）」、「ｉｎ  ａｎ  ｅｍｂｏｄｉｍｅｎｔ（ある実施形態では）」もしくは「ｉｎ  ａ  ｓｐｅｃｉｆｉｃ  ｅｍｂｏｄｉｍｅｎｔ（具体的実施形態では）」、または同様の語のそれぞれの出現は、必ずしも同一の実施形態に言及しているわけではない。さらに、任意の特定の実施形態の特定の特徴、構造、または特性は、任意の好適な態様で１つ以上の他の実施形態と組み合わせられ得る。本明細書において説明および例証される実施形態の他の変形および修正も、本明細書の教示に照らして可能であり、本発明の意図および範囲の一部として見なされるべきであることを理解されたい。
【００９４】
本明細書における説明では、構成要素および／または方法の例等の多数の具体的詳細が、本発明の実施形態の完全理解をもたらすために提供される。しかしながら、当業者は、実施形態が、具体的詳細のうちの１つ以上を伴わずに、または、他の装置、システム、アセンブリ、方法、構成要素、材料、部品、および／または同等物を伴って、実践されることが可能であり得ることを認識するであろう。他の事例では、周知の構造、構成要素、システム、材料、または動作は、本発明の実施形態の側面を曖昧にすることを回避するために、具体的に示されも詳細に説明されもしない。本発明は、特定の実施形態を使用することによって例証され得るが、これは、本発明の限定ではなく、それを任意の特定の実施形態に限定するものでもなく、当業者は、付加的実施形態が、容易に理解可能であり、本発明の一部であることを認識するであろう。
【００９５】
また、図面／図に描写される要素のうちの１つ以上が、特定の用途に従って有用であるように、より分離された態様もしくはより統合された態様で実装されるか、または、ある場合には、除去もしくは動作不能にされさえし得ることを理解されたい。加えて、図面／図における任意の信号矢印は、別様に具体的に記載されない限り、限定的ではなく、例示的のみとみなされるべきである。
【００９６】
本明細書に詳細に説明された代表的実施形態は、限定としてではなく、例として提示されている。種々の変更が、説明される実施形態の形態および詳細において成され、本発明の範囲内に留まる同等の実施形態をもたらし得ることが、当業者によって理解されるであろう。
【図１Ａ】
2022001255.tif 000002
【図１Ｂ】
2022001255.tif 000003
【図１Ｃ】
2022001255.tif 000004
【図１Ｄ】
2022001255.tif 000005
【図２】
2022001255.tif 000006
【図３Ａ】
2022001255.tif 000007
【図３Ｂ】
2022001255.tif 000008
【図３Ｃ】
2022001255.tif 000009
【図３Ｄ】
2022001255.tif 000010
【図４】
2022001255.tif 000011
【図５Ａ】
2022001255.tif 000012
【図５Ｂ】
2022001255.tif 000013
【図５Ｃ】
2022001255.tif 000014
【図６】
2022001255.tif 000015
【図７Ａ】
2022001255.tif 000016
【図７Ｂ】
2022001255.tif 000017
【図７Ｃ】
2022001255.tif 000018
【図８Ａ】
2022001255.tif 000019
【図８Ｂ】
2022001255.tif 000020
【図９】
2022001255.tif 000021
【図１０Ａ】
2022001255.tif 000022
【図１０Ｂ】
2022001255.tif 000023
【外国語明細書】
2022001255000001.pdf